(57)【要約】      （修正有）【課題】竹チップの発酵熱で暖房可能とする竹チップの発酵熱による暖房装置を提供する。【解決手段】発酵槽１内で発酵させた竹チップの発酵熱による暖房装置であって、竹チップを収納するための断熱材２で被覆した発酵槽１と、酵槽１上部の開口部１ｄに設けた断熱材４で被覆した蓋３と、発酵槽１の側壁及び蓋３に複数を散在状態に備えた空気調節蓋６付きの通風孔５と、発酵槽１の側壁下部に配設した開口部から側壁上部に配設した開口部へと発酵槽１内を登り傾斜で蛇行状に屈曲する送風パイプと、設定した容量の竹チップを収納して発酵槽１の側面から水平に出没可能に発酵槽１の底部に設けた竹チップ排出用スライダ１１と、から成り、竹チップの発酵熱で加熱された暖気の上昇気流で送風パイプ内を上昇して自然に排出されることで室内を暖房可能としたことを特徴とする。【選択図】図１
0003189294.tif 000002
【実用新案登録請求の範囲】
【請求項１】
発酵槽内で発酵させた竹チップの発酵熱による暖房装置であって、
竹チップを収納するための断熱材で被覆した発酵槽と、
該発酵槽上部の開口部に設けた断熱材で被覆した蓋と、
該発酵槽の側壁下部に配設した開口部から側壁上部に配設した開口部へと、該発酵槽内に発生した竹チップによる発酵熱を吸収すると共にその吸収熱で加熱された暖気を自然上昇させ得る登り傾斜を有して屈曲する送風パイプと、
を備えて成ることを特徴とする竹チップの発酵熱による暖房装置。
【請求項２】
請求項１に記載の竹チップの発酵熱による暖房装置において、
送風パイプ下端部の開口部に、直接又はファン接続用パイプを介して接続されたモータで回転する送風ファンと、
発酵槽の内部に設けた温度センサと、
該温度センサと前記モータとを接続する電線に設けられ、前記温度センサで感知された発酵温度が上限の設定温度以上となったらモータの稼動をオンとし、下限の設定温度以下となったらモータの稼動をオフとするモータ制御回路と、
から成り、竹チップの発酵熱で加熱された暖気の室内への上昇気流による自然排出と送風ファンによる強制排出とを制御可能としたことを特徴とする竹チップの発酵熱による暖房装置。
【請求項３】
請求項１又は２に記載の竹チップの発酵熱による暖房装置において、
発酵槽の側壁及び蓋に通風孔を散在状態で複数設けると共に該通風孔を開閉可能な空気調節蓋を設けたことを特徴とする竹チップの発酵熱による暖房装置。
【請求項４】
請求項１から３のうちいずれかに記載の竹チップの発酵熱による暖房装置において、
発酵槽の底部に、設定した容量の竹チップを収納して発酵槽の側面から水平に出没可能とした竹チップ排出用スライダを備え、該スライダの出没で竹チップを発酵槽から排出可能としたことを特徴とする竹チップの発酵熱による暖房装置。
【請求項５】
請求項１から４のうちいずれかに記載の竹チップの発酵熱による暖房装置において、
竹チップに乳酸菌を散布混合したことを特徴とする竹チップの発酵熱による暖房装置。
【考案の詳細な説明】
【技術分野】
【０００１】
本考案は竹チップの発酵による発酵熱を利用して農業用ハウス等の室内を暖房するための装置に関する。
【背景技術】
【０００２】
竹は繁殖力が強く、放置すると繁茂して農地や植林地を荒らすなどの問題があり、その防止のため伐採しても主たる用途が建材や民芸品等に限られるので利用できる量は極めて少ない。
このため近年、竹を細かく砕いてチップ加工することで用途を広げるようとし、例えば下記特許文献２には竹チップに乳酸菌等を加えることで発酵を促進し、畜産に適した混合飼料を得る技術の提案がなされている。
一方、農業用ハウスを暖房するため重油やプロパンガスを燃料とした暖房装置が一般的に使用されているが、燃焼ガスが空気を汚染するのみならず燃料代が嵩むことで農業経営を苦しめている。
このような事情から農業用ハウスの暖房にチップ加工した竹の発酵熱を利用すれば、燃料を使用せずに経費の削減が可能となると考えられ、例えば下記特許文献１の如き竹チップの発酵熱をハウスの暖房に利用することが提案されている。
【先行技術文献】
【特許文献】
【０００３】
【特許文献１】特開２０１２−１９７８１号公報
【特許文献２】特開２００８−１１３５７４号公報
【考案の概要】
【考案が解決しようとする課題】
【０００４】
しかしながら、発酵槽で発生させた発酵熱を利用するには、上記特許文献１に記載されているように、発酵槽内にパイプを配管し、その配管内に熱媒体を通過させて発酵熱を暖房場所まで送り出さなければならないが、そのために送風機を稼動させると電力消費が嵩んでしまう。
一方、竹チップの発酵が終了したら新しい竹チップに交換しなければならないが、その際に発酵槽に配管したパイプは竹チップ入れ替えの邪魔となってしまうという問題がある。
この問題に対して上記特許文献１ではパイプを外せるようにすることで竹チップの入れ替えができるように工夫しているが、パイプの着脱は発酵槽内に発酵した竹チップが詰まっているために容易には行なえず、更に竹チップの掻き出し作業を含めると大変に手間のかかる作業となってしまう。
【０００５】
本考案は、上記実情に鑑みてなされたもので、暖房稼動のための電力消費を少なく押え、且つ発酵槽内で発酵が終了した竹チップを新しい竹チップに容易に入れ替えが可能となる竹チップの発酵熱による暖房装置を提供することを目的とする。
【課題を解決するための手段】
【０００６】
上記課題を解決するために、本考案の竹チップの発酵熱による暖房装置は、請求項１に記載の考案においては、発酵槽内で発酵させた竹チップの発酵熱による暖房装置であって、竹チップを収納するための断熱材で被覆した発酵槽と、該発酵槽上部の開口部に設けた断熱材で被覆した蓋と、該発酵槽の側壁下部に配設した開口部から側壁上部に配設した開口部へと、該発酵槽内に発生した竹チップによる発酵熱を吸収すると共にその吸収熱で加熱された暖気を自然上昇させ得る登り傾斜を有して屈曲する送風パイプとを備えたことを特徴とする。
【０００７】
請求項２に記載の考案においては、上記請求項１に記載の竹チップの発酵熱による暖房装置において、前記送風パイプ下端部の開口部に接続されたモータで回転する送風ファンと、前記発酵槽の内部に設けた温度センサと、該温度センサと前記モータとを接続する電線に設けられ、前記温度センサで感知された発酵温度が上限の設定温度以上となったらモータの稼動をオンとし、下限の設定温度以下となったらモータの稼動をオフとするモータ制御回路とにより構成し、竹チップの発酵熱で加熱された暖気の室内への上昇気流による自然排出と送風ファンによる強制排出とを制御可能としたことを特徴とする。
【０００８】
請求項３に記載の考案においては、上記請求項１又は２に記載の竹チップの発酵熱による暖房装置において、前記発酵槽の側壁及び蓋に通風孔を散在状態で複数設けると共に該通風孔を開閉可能な空気調節蓋を設けたことを特徴とする。
【０００９】
請求項４に記載の考案においては、上記請求項１から３のうちいずれかに記載の竹チップの発酵熱による暖房装置において、前記発酵槽の底部に、設定した容量の竹チップを収納して発酵槽の側面から水平に出没可能とした竹チップ排出用スライダを備え、該スライダの出没で竹チップを発酵槽から排出可能としたことを特徴とする。
【００１０】
請求項５に記載の考案においては、上記請求項１から４のうちいずれかに記載の竹チップの発酵熱による暖房装置において、前記竹チップに乳酸菌を散布混合したことを特徴とする。
【考案の効果】
【００１１】
本考案は、断熱材の被覆により発酵槽の周囲の温度低下が防止され発酵槽内全体の温度が均一に保たれて竹チップが満遍なく微生物により発酵し発熱する。そして、その発酵熱が送風パイプ内の空気を暖め、その暖められて軽くなった空気は送風パイプ内を上昇する。
その際、送風パイプは登り傾斜で屈曲されているため該送風パイプ内に空気の滞る部分が発生せずに暖められた空気は上昇し、その際送風パイプ内の空気全体を速やかに上昇させる上昇気流を発生させる。
即ち、送風パイプの下部開口部から空気が吸入され、送風パイプ内を上昇し、途中で暖められた空気は上部開口部から発酵槽外へと排出され、その暖かい空気でハウスの室内等を暖めることが可能となる。
該送風パイプ内の空気の流れは、送風機などで電力を使って強制に行われるのではなく、暖められて発生した気流の上昇力によって起こされるものであり、竹チップの発酵が継続している限り発酵熱が発生して送風パイプ内に上昇気流が継続して生じる。従って送風機を稼動するための電気代等の費用は不要となり暖房経費の削減が可能となる。
【００１２】
請求項２に記載の考案においては、竹チップの発酵が不十分で発酵熱の発生が少ないときには、竹チップ内が低温となるが、そのような場合、前記温度センサによる感知温度が下限の設定温度以下となり、そのような低温時には、モータを停止させて送風ファンの回転を停止する。
この際、不十分な発熱であっても発酵槽内の竹チップの発酵熱で送風パイプ内の空気は暖められて弱い上昇気流を発生させ続け、送風ファンの隙間から流入した空気は竹チップが過度の低温となるのを防止しつつゆっくりと暖められ遅い速度で上昇して行く。
この場合には稼動のための電気代等の費用は不要となりこの分の暖房経費の削減が可能となる。
【００１３】
又、竹チップの発酵が盛んとなり高い発酵熱が発生したときは、竹チップ内が高温となるが、そのような場合、前記温度センサによる感知温度が上限の設定温度以上となり、そのような高温時には、モータを回転させて送風ファンを稼動する。
この送風ファンの回転で発酵槽内の送風パイプ内に空気が強制的に送風される。そして、早められた送風パイプ内の空気により、竹チップ内の熱が奪われ、ハウス内にその高い温度の熱が排出され、その熱でハウスが暖房される。
一方、発酵槽内の竹チップ内は熱が送風パイプで外部に排出されることによって冷却され、過度に高温となるのが防止され、その結果竹チップが一定の温度に保たれる。
このように送風ファンの温度センサによる自動制御で竹チップの発酵速度を自動的に調節し、排出される熱でハウスの室内等を継続的に一定の温度を保って暖房することが可能となる。
【００１４】
請求項３に記載の考案においては、前記発酵槽の側壁及び蓋に設けた通風孔を空気調節蓋によって開閉することで、竹チップの発酵状況を見ながら手動で内部の竹チップへの空気供給を行うことが可能となる。
開けた通風孔からは発酵槽内部の竹チップへ空気が送られ、竹チップを発酵させる微生物に対して酸素を供給することで発酵槽の周囲寄りの竹チップを満遍なく効率良く発酵させることが可能となる。
【００１５】
該竹チップは発酵が終了したら発酵槽内の古い竹チップを新しい竹チップと交換しなければならないが、請求項４に記載の考案においては、前記発酵槽の底部に設けた竹チップ排出用スライダを引き出すことによって、前記発酵槽に収納された竹チップの下部から順に排出し、蓋を開けて発酵槽上部の開口部から新しい竹チップを追加投入することが可能となる。
このように、本考案では発酵槽内部に配管された送風用のパイプの存在が全く邪魔にならず、且つ手間の掛かるパイプの取り外し作業をせずに竹チップの入れ替えを簡単に行うことが可能となる。
【００１６】
請求項５に記載の考案においては、前記竹チップに付着させた乳酸菌によって発酵が促進される。
通常の発酵槽では悪臭が発生するためハウスの暖房に使用するときには上記特許文献１の如くハウス外に設置しなければならないが、本考案では、乳酸菌の竹チップ分解で発生するガスには人にとっての悪臭となる分解ガスが含まれないので本装置をハウス内に設置しても農作業者に不快感を与えることがない。
【図面の簡単な説明】
【００１７】
【図１】本考案の発酵槽に竹チップを入れる前の状態を示す斜視図である。
【図２】発酵槽に竹チップを入れた状態を示す縦断側面図である。
【図３】発酵槽に竹チップを入れる前の状態においける送風パイプの形態を示す縦断側面図である。
【図４】別の送風パイプの態様を示す縦断側面図である。
【図５】竹チップを入れた状態において、スライダを（イ）は前側に引いてある状態を示し、（ロ）は後側に引き出した直後の状態を示し、（ハ）は後側に引いてある状態を示す各縦断側面図である。
【考案を実施するための形態】
【００１８】
本考案の竹チップの発酵熱による暖房装置は、農業用のハウス等の室内に設置し、竹を砕いて小片にした竹チップを発酵槽に入れ、その竹チップを微生物で発酵させ、発酵の際に発生する発酵熱をハウス等の室内にそのまま排出させてその室内の暖房を行うのに利用するものである。
その実施例を示す図を基に以下説明する。
【００１９】
図１は本考案の全体図であり、符号１は発酵槽１である。
該発酵槽１の側壁は錆びないステンレス製の板、合成樹脂製の板、ベニヤ板等の木質の板又はそれらの複層板で箱状に形成し、その側壁全面を断熱材２の層で被覆する。
又、該発酵槽１上部の開口部１ｄは、発酵槽１内上部の温度低下を防ぐためステンレス製の板、合成樹脂製の板、ベニヤ板等の木質の板又はそれらの複層板等で作った蓋３をヒンジ１８を介して開閉可能に設け、該蓋３の該板材全面を断熱材４の層で被覆する。
【００２０】
前記発酵槽１の側壁及び蓋３を断熱材２、４で被覆するのは、竹チップ１２を発酵させて得た熱が周囲に奪われて温度が低下し分解菌類による発酵が不活発になるのを避けるためである。
該発酵槽１の側壁及び蓋３に使用する断熱材２、４には、発泡樹脂製やセラミック製等の断熱板を使用することができる。
なお、この蓋３は手で持って開閉できるようにするため蓋上面に金属製の蓋取手１９を設ける。
【００２１】
そして、図１に示すように、前記発酵槽１の各側面板１ａ、前面板１ｂ、後面板1ｃから成る全側壁と前記蓋３の板面には、円形の通風孔５を形成し、該通風孔５には手で開閉可能した空気調節蓋６を設ける。
該空気調節蓋６は、各種の開閉手段を用いることが可能であるが、例えば前記通風孔５を覆うサイズとした円板状の合成樹脂板の上部を釘、ボルト又はネジを緩く止めた構造とすれば、該空気調節蓋６を手で回転させることで開閉可能となる。
この態様の空気調節蓋６では、釘、ボルト又はネジ止めの締め付け程度を摩擦抵抗で自由な位置に停止可能とすること、又は開口面積が任意の大きさとなる停止位置に嵌合可能な凹凸を発酵槽１及び蓋３の板面側と空気調節蓋６側の対向面に設けて段階的に係止できる構造とすることが可能である。
【００２２】
そして、前記発酵槽２には、図１に示すように、側壁上部と側壁上部に通風パイプ７が貫通可能な孔を設けて、通風パイプ７の上端部７ａが前記側壁上部の孔に達し、通風パイプ７の下端部７ｂが前記側壁下部の孔に達するように槽内部に中間部を蛇行状に屈曲させた送風パイプ７を設ける。
前記送風パイプ７は金属又は合成樹脂のパイプを用い、図２に示すように、開口させた下端部７ｂから上端部７ａまでの蛇行状の屈曲部７ｃは登り勾配に形成する。
こののぼり勾配は全てを登り勾配とすることが好ましいが一部を水平状としても良い。
【００２３】
前記屈曲部７ｃの形成は、図３に示すように、登り勾配とすれば良く、図１では略水平方向に往復する蛇行状の屈曲部７ｃが登り傾斜になった形態を示しているが、他にも螺旋状や不規則状で登り傾斜とすることが可能である。
なお、図２及び図３に示すように、送風パイプ７を発酵槽内に偏った配設となる場合には、図４に示すように、できるだけ槽内に満遍なく届くようにパイプを分岐させたり、又複数本設けたりすることも可能である。
使用するパイプは、一本のパイプを蛇行状や螺旋状に湾曲させて設けることもできるが、図１に示すように、多数の真っ直ぐな管にそれぞれ湾曲接続管を接続して下端部７ｂから上端部7ａまで全て登り傾斜に屈曲させで形成することができる。
例えば、図１に示すように、前記発酵槽１の側面板１ａに対して登り傾斜を付けて平行に配し、この上端部に直角に接続し且つ前面板１ｂに対して登り傾斜を付けて平行に配し、又この上端部に直角に接続し且つ側面板１ａに対して登り傾斜を付けて平行に配して折り返し、同様にこのような接続を繰り返すことで下端部７ｂから上端部7ａまで全てを登り傾斜にさせた送風パイプ７を形成することも可能である。
【００２４】
そして、以上の構成の発酵槽１内には竹チップ１２を入れ、その竹チップ１２には乳酸菌１３を散布して混合させて使用する。
前記竹チップ１２に乳酸菌１３を混合するのは、乳酸菌１３が竹チップ１２の発酵を促進し、発酵に伴う悪臭の発生が防止されるからである。
前記竹チップ１２に乳酸菌１３を加えることで該発酵槽１を農業用ハウス内に設置しても、乳酸発酵により発生する分解ガスに悪臭が含まれず、ハウス内での作業者に不快を与えない。
竹チップ１２を発酵槽１に投入して時間が経過すると竹チップ１２が発酵して発酵熱を発生させる。その竹チップ内の温度は７０°Ｃ程度にまで上昇する。
【００２５】
そして、前記屈曲部７ｃを全て登り勾配とした送風パイプ７内の空気の流れは、暖められて発生した気流の上昇力によって途中で滞ることなく上昇する。
この上昇気流は、送風機などで電力を使って強制に発生するのではなく、暖められて軽くなった空気による気流の上昇力で自然に起こるものである。
従って、竹チップ１２の発酵が継続している限り送風パイプ７内の上昇気流の発生は継続する。
【００２６】
更に、前記送風パイプ７の下端部７ｂの開口部には、ファン接続用パイプ１５を介して送風ファン８を接続することが可能である。そして、該送風ファン８には羽根を回転させるモータ１０を装着する。
【００２７】
そして、図２に示すように、前記発酵槽１内には発酵温度を感知する温度センサ９を該発酵槽２側壁の下段９ｃ、中段９ｂ、上段９ａの３箇所から先端のセンシング部が中央部に届くように突設する。
該温度センサ９と前記モータ１０とは電線３３で接続し、該電線３３に前記温度センサ９で感知された発酵温度が上限の設定温度を上まわったら前記モータ１０の稼動をオンとし、下限の設定温度を下まわったらオフとなるモータ制御回路（図省略）を設ける。
【００２８】
例えば、下限の設定温度の値を２８°Ｃとし、前記送風ファン８は前記温度センサ９による感知温度が２８°Ｃ以下の低温時には電源への通電をオフにして前記モータ１０の稼動を停止させ、送風ファン８の回転を停止させる。
前記送風ファン８の回転を停止すると、前記送風パイプ７内の空気の強制的な流れが停止されるが、発酵槽２内の竹チップ１２の発熱で前記送風パイプ７内の温度が２８°Ｃとなって前記送風パイプ７内には上昇気流が発生し、回転が停止している送風ファン８の羽根の隙間から空気が前記送風パイプ７内に吸入され、２８°Ｃに暖められた空気が送風パイプ７の上端部７ａの開口部から継続的に排出される。この結果ハウス内は温度が２８°Ｃ以上に保たれる。
そして、この際には、自然の上昇気流では竹チップ１２の発酵熱による高熱の放熱速度が遅いので竹チップ１２の急な温度低下が防止される。
なお、送風パイプ７の上端部７ａには煙突状に円筒状のパイプを直立させることで前記送風パイプ７内の空気の上昇力を高めるともできる。
【００２９】
次に、上限の設定温度の値を３２°Ｃとし、前記送風ファン８は前記温度センサ９による感知温度が３２°Ｃ以上の高温時には電源への通電をオンにして前記モータ１０を稼動させ、送風ファン８の回転を開始させる。
送風ファン８が回転すると、送風パイプ内の空気が強制的に送風されることで送風パイプ内の空気は冷却され、発酵槽１内の竹チップ１２による発酵熱が多くハウス内に排出される。
前記送風パイプ内の空気が冷却されると、乳酸菌１３による竹チップ１２の発酵が不活発に成り、発酵熱が少なくなってハウス内に排出される温度が低下し３２°Ｃより低くなる。その結果、ハウス内の温度が３２°Ｃ以下に調節される。
【００３０】
なお、発酵槽１内の温度が全体的に低い場合には前記空気調節蓋６の開閉を行う。
前記蓋４及び発酵槽１の側壁に設けた通風孔５は、空気調節蓋６を手動で開閉させて空気の調整が行えるが、この空気調節蓋６の開閉のタイミングは、前記モータ１０の稼動状況を見つつ行う。該空気調節蓋６を開くと乳酸菌１３に外部の空気を供給して発酵を促進させる。
この開閉についてはモータによる電動式とすることもでき、この場合には前記温度センサ９と接続して設定した温度による自動制御が可能である。
このような発酵槽１内の竹チップ１２に対する通風孔５からの空気接触は、発酵槽１内の外周部側は温度が比較的低く発酵が不活発となるので、この部分の発酵を促進させるために行うものである。
前記発酵槽１内に外気を入れることで外周部側は温度は一旦低下するが、適宜蓋６を開閉することで外周部の発酵が促進され、槽内全体の均一的な発酵が実現し、この結果発酵槽１の外周部側の温度を上昇させることが可能となる。
【００３１】
以上のように、送風ファン８を設けた形態では、竹チップ１２の発酵熱で加熱された暖気の室内への上昇気流による自然排出と送風ファン８による強制排出とが竹チップ１２の発酵温度の変化により自動的に竹チップ１２の発酵温度及び発酵速度を制御することが可能となり、空気調節蓋６の開閉を行うことにより発酵が遅れがちな槽内外周部側の発酵が促進される。
【００３２】
又、図１に示すように、前記発酵槽１の底部には側壁下部の前側及び後側に往復して突出可能とする竹チップ排出用スライダ１１を設けることができる。
この形態では、前記発酵槽１の底面板１７と左右の側面板１ａの下端部との間に支持脚１６、１６を設け、前記支持脚１６、１６間に前記竹チップ排出用スライダ１１を前後スライド可能に装着する。
該スライダ１１の引き出し作業は、前側では前取手２０で後側では後取手２１を握って手作業で行う。
【００３３】
該スライダ１１の内部には、分解された竹チップ１２が収納され、前記発酵槽１内の全竹チップ１２の底板２３、２４に掛かる重量は大きく、前記スライダ１１を引き出すのは容易ではない。
このため、図１に示すように、左右に２分割して各個の底板２３、２４に納まる面積を小さく分散させることで、引き出す力が少なくて済むようにし、スライダ１１を容易に引き出せるようにする。
該図１では、スライダ１１を左スライダ１１ａと右スライダ１１ｂとの２つに分割し形態を示しているが、該スライダ１１は発酵槽の大きさに応じて多数に分割することもできる。
【００３４】
そして、該左スライダ１１ａと右スライダ１１ｂは、図５に示すように、底板２３、２４の全体の長さは前記発酵槽１の底部の２倍程の長さとし、前板２９、３１と後板３０、３２間の中間に中央隔壁２２ａ、２２ｂを設ける。
該中央隔壁２２ａ、２２ｂと、前板２９、３１と、内側板２５、２７、外側板２６、２８と、後板３０、３２とは前記支持脚１６、１６間の高さとほぼ等し高さとする。
又、前記スライダ１１を出没させたとき前記中央隔壁２２ａ、２２ｂ、前板２９、３１及び後板３０、３２の上端辺と前記発酵槽１の前面板下端部１ｅ及び後面板下端部１ｆとは接触せずにできるだけ近接可能となる高さに設定する。
そして、前記スライダ１１が前後いずれか一方へ引き出されたとき、図５の（イ）、（ロ）及び（ハ）に示すように、中央隔壁２２ａ、２２ｂ及び前板２９、３１及び後板３０、３２で発酵槽１の底部が殆ど密閉状態となるようにする。
【００３５】
次に竹チップの入れ替え作業を説明する。
先ず、図５の（イ）に示すように、蓋３を開けて前記発酵槽１に竹チップ１２が乳酸菌１３を混合して槽内一杯となるまで投入され、発酵槽１の底部では前板２９、３１、内側板２５、２７、外側板２６、２８及び後板３０、３２とに囲われてスライダ１１内に納められる。
数ヶ月間発酵が行われハウス内の暖房を継続し、竹チップ１２は乳酸菌１３等により分解されて発熱が止み発酵が終了したら、竹チップ１２を新しいものに入れ替える。
【００３６】
竹チップ１２の入れ替えは、図５の（イ）に示す状態から図５の（ロ）に示す状態に、前記スライダ１１を後側に引き出す。
すると、前記スライダ１１内の竹チップ１２は前記発酵槽１の後面板下端部１ｆで上部が摺り均され、上面が水平となって発酵槽１の後側に引き出される。
次に、図５の（ハ）に示すように、引き出された該スライダ１１内の竹チップ１２を外に全部掻き出し、中を空にする。
このとき中央隔壁２２で隔絶された前側のスライダ１１内には前記発酵槽１下部の竹チップ１２が落下し、その後前記発酵槽１全部の竹チップ１２が自重で下降する。
すると、図５の（ハ）に示すように、前記発酵槽１内の竹チップ１２上の空間が広くなるので、前記蓋３を開いて、そこに新しい竹チップ１２を補充し、前記蓋３を閉めることで、簡単に新しい竹チップ１２の追加補充ができるようになる。
【００３７】
又竹チップ１２を全部入れ替える場合には、前記スライダ１１を前に引き出すことで、後側に引き出したときと同様にスライダ１１内の竹チップ１２が前記発酵槽１の前面板下端部１ｅで上部が摺り均されて引き出される。
次に、引き出された該スライダ１１内の竹チップ１２を外に全部掻き出し、中を空にする。
このとき中央隔壁２２で隔絶された後側のスライダ１１内には前記発酵槽１下部の竹チップ１２が落下し、その後前記発酵槽１全部の竹チップ１２が自重で下降する。
【００３８】
このように、前記スライダ１１を前後に引き出し、スライダ１１内の竹チップ１２を外に全部掻き出して中を空にする作業を何回も繰り返せば、最終的に前記発酵槽１内の竹チップ１２は全部掻き出すとこが可能となる。
そして空になった発酵槽１内には前記蓋３を開いて、乳酸菌１３を混合した新しい竹チップ１２を満杯に投入すれば、竹チップ１２の入れ替え作業が完了する。
【産業上の利用可能性】
【００３９】
本考案は、竹チップを発酵させて得られる発酵熱を農業用ハウスの暖房に利用するものであるが、発酵させる材料は竹チップ以外にも、草や木材チップ等の植物性の発酵材料を混合した場合であっても発酵熱が得られるものであれば、それらについても広く利用することが可能である。
【符号の説明】
【００４０】
１    発酵槽
１ａ  側面板
１ｂ  前面板
１ｃ  後面板
１ｄ  開口部
１ｅ  前面板下端部
１ｆ  後面板下端部
２    断熱材
３    蓋
４    断熱材
５    通風孔
６    空気調節蓋
７    送風パイプ
７ａ  上端部
７ｂ  下端部
７ｃ  屈曲部
８    送風ファン
９    温度センサ
１０  モータ
１１  竹チップ排出用スライダ
１１ａ  左スライダ
１１ｂ  右スライダ
１２  竹チップ
１３  乳酸菌
１５  ファン接続用パイプ
１６  支持脚部
１７  底面板
１８  ヒンジ
１９  蓋取手
２０  前取手
２１  後取手
２２ａ  中央隔壁
２２ｂ  中央隔壁
２３  底板
２４  底板
２５  内側板
２６  外側板
２７  内側板
２９  前板
３０  後板
３１  前板
３２  後板
３３  電線
【図１】
0003189294.tif 000003
【図２】
0003189294.tif 000004
【図３】
0003189294.tif 000005
【図４】
0003189294.tif 000006
【図５】
0003189294.tif 000007